(57)【特許請求の範囲】
【請求項１】
ヒンジ部で長さ方向に連結された２つの半円筒材からなり、各半円筒材の開放端に互いに係合する係合片が設けられ、前記両係合片の係合により半円筒材が苗木の周囲を取り囲んで略円筒状に接合して設置される保護筒体と、前記保護筒体の外側において地面に立設され、前記係合された両係合片と前記ヒンジ部のそれぞれを固定して前記保護筒体を直立状に支持する支持用ポールとを備えたことを特徴とする苗木用保護育成装置。
【請求項２】
２つの半円筒材のそれぞれには長さ方向に所定間隔で半円状のリブが形成されている請求項１記載の苗木用保護育成装置。
【請求項３】
前記保護筒体の両係合片とヒンジ部とは、長さ方向の一端から他端の近傍にまで設けられ、保護筒体の長さ方向の一端に他の保護筒体を嵌合して複数の保護筒体が連結された状態で、両保護筒体の係合片同志とヒンジ部同志とがそれぞれ重ならないように形成されている請求項１又は２記載の苗木用保護育成装置。
【発明の詳細な説明】
【０００１】
【発明の属する技術分野】
本発明は、植林した苗木を保護育成するための装置に関するもので、より詳細には、植林時の若い苗木の周囲を取り囲むことによって鹿、猿その他の動物から食い荒らされるのを防止するようにした苗木用保護育成装置の改良に関するものである。
【０００２】
【従来の技術】
植林時の小さな苗木は軟質であるから、野生の鹿や猿等の動物が枝葉を食いちぎったり折るし、激しく体当たりして根元から折ることがあるので、周囲をカバーして保護しなければならない。この種の従来技術としては、例えば特開２００１−１７００９公報に示されるものがある。
【０００３】
上記した特開２００１−１７００９公報に示された従来の苗木の保護育成装置は、少なくとも２枚の透明、もしくは半透明の樹脂製シート材１２を複数の仕切材１３で互いに層状に接合し、相互間に複数の空気層を形成して成る樹脂パネル１１によって筒状に構成され、苗木の周囲を取り囲むように設置される保護筒体１０と、保護筒体１０の中間部外周に装着され、かつ該保護筒体１０の周囲となる位置に中間ポール挿通孔２３を有する中間リング部材２０と、保護筒体１０の端縁部全周を収容する態様でこの保護筒体１０の両端部にそれぞれ装着され、かつ保護筒体１０の周囲となる位置に両端ポール挿通孔３４を有する一対のリング状キャップ部材３０と、保護筒体１０の周囲において地面に立設され、両端ポール挿通孔３４および中間ポール挿通孔２３をそれぞれ通過する支持用ポール４０とを備えて構成されている。
【０００４】
上記保護育成装置は、雑草除けマット５０およびカバー部材６０を備えており、保護育成装置を適用して苗木を保護する場合には、まず、植林した苗木の根本部分に雑草除けマット５０を敷設し、切欠５１を開成させれば、苗木を容易に挿通させることができる。カバー部材６０は、その下端部に４本の脚部６１を有しており、各脚部６１を、それぞれ保護筒体１０の上端部に装着したリング状キャップ部材３０の取付孔３５に装着することにより、当該保護筒体１０の上端部に取り付けることが可能である。
【０００５】
【発明が解決しようとする課題】
ところで、上述した保護育成装置は、筒形の固定形状の為、輸送時には嵩張り、しかも使用時には、苗木に被せる時に真上から被せなければ成らず、葉や枝が引っ掛り苗木を傷め易いものである。しかも、樹脂パネルは柔軟質であるから、鹿などに簡単に食いちぎられることになり、若い苗木を確実に保護する効果が少ない。
【０００６】
本発明は、複数枚積み重ねて輸送可能な展開状態で形成され、横から苗木に装着して保護筒体に組立てられて設置され、設置された保護筒体はきわめて強固であるから野生の動物や自然の環境から確実に苗木を保護できることを目的とする。
【０００７】
【課題を解決するための手段】
前記目的達成のため、請求項１記載の発明は、ヒンジ部で長さ方向に連結された２つの半円筒材からなり、各半円筒材の開放端に互いに係合する係合片が設けられ、前記両係合片の係合により半円筒材が苗木の周囲を取り囲んで略円筒状に接合して設置される保護筒体と、前記保護筒体の外側において地面に立設され、前記係合された両係合片と前記ヒンジ部のそれぞれを固定して前記保護筒体を直立状に支持する支持用ポールとを備えたことを特徴とする苗木用保護育成装置である。
【０００８】
また、請求項２記載の発明は、２つの半円筒材のそれぞれには、薄肉でも強度を高めるために長さ方向に所定間隔で半円状のリブが形成されている構成である。
【０００９】
また、請求項３記載の発明は、前記保護筒体の両係合片とヒンジ部とは、長さ方向の一端から他端の近傍にまで設けられ、保護筒体の長さ方向の一端に他の保護筒体を嵌合して複数の保護筒体が連結された状態で、両保護筒体の係合片同志とヒンジ部同志とがそれぞれ重ならないように形成されているものである。
【００１０】
【発明の実施の形態】
以下、実施の形態を示す図面に基づいて本発明を詳細に説明する。図１は、本発明に係る苗木用保護育成装置の一実施形態を示す斜視図、図２は図１の保護筒体の展開状態を示す斜視図、図３（ａ）は図１の保護筒体を上から見た組立て状態を説明する図１の保護筒体の上面図、図３（ｂ）は（ａ）の保護筒体の係合前における係合部分の上面図、図３（ｃ）は（ａ）の保護筒体の係合後における係合部分の上面図、図４（ａ），（ｂ）はそれぞれ図１の保護筒体と支持用ポールの結合部の上面図、図５は本発明に係る複数の保護筒体の連結部分を断面で示した正面図である。
【００１１】
本発明の保護育成装置は、例えば杉や檜などの苗木Ｐを植林した直後に周囲を覆うようにして使用するもので、苗木の周囲を取り囲むための保護筒体１１０を備えている。保護筒体１１０は、透明、もしくは半透明の樹脂製シート材で形成され、ヒンジ１１１で長さ方向に連結されたた２つの半円筒材１１２，１１３からなり、図２に示すような展開状態の樹脂製シート材１１０ａを組立てて保護筒体１１０を形成する。樹脂製シート材の２つの半円筒材のそれぞれには長さ方向に所定間隔で半円状のリブ１１２ａ，１１２ａ，・・及び、１１３ａ，１１３ａ，・・が複数形成されている。また、ヒンジ１１１は保護筒体１１０の長さ方向の一端（下端）から他端（上端）の近傍にまで設けられている。
【００１２】
保護筒体１１０の長さ方向の他端（上端）からヒンジ１１１の先端までの２つの半円筒材１１２，１１３の長さ方向には、所定間隔に筒状に径方向に突出した２つの係合筒部１３２ａ，１３２ｂ及び２つの係合筒部１３３ａ，１３３ｂがそれぞれ対向して設けられ、これらの係合筒部１３２ａ，１３２ｂ及び１３３ａ，１３３ｂの間には断面が三角形の２辺形状で径方向に連続するフック１３２ｃ，１３３ｃが設けられて挿入用の円筒状の連結部１３０ａが構成されている。図５に示すように円筒状の連結部１３０ａの上部端面Ｅは、滑らかなＲ状でラツパ状に拡がっているので、苗木が風等で製品の端面に接触しても苗木を傷つけにくくなっている。保護筒体１１０の長さ方向の一端（下端）側の２つの半円筒材１１２，１１３の長さ方向に所定間隔に筒状に突出した２つの係合筒部１３２ｄ，１３２ｅ及び１３３ｄ，１３３ｅがそれぞれ設けられ、これらの係合筒部１３２ｄ，１３２ｅ及び１３３ｄ，１３３ｅ間には径方向に連続するリブ１３２ｆ，１３３ｆが設けられて、他の保護筒体１１０の挿入用の連結部１３０ａを受入れる受入用の連結部１３０ｂが構成されている。
【００１３】
保護筒体１１０に組立てる前の展開状態の樹脂製シート材１１０ａでは、ヒンジ１１１で長さ方向に連結された２つの半円筒材１１２，１１３の開放端に互いに係合する２つの係合片１２１，１２４が設けられている。係合片１２１は縦長の扉の形状であり、係合片１２４は２枚の縦長の扉をヒンジ部で連結した形状である。展開状態の樹脂製シート材１１０ａは、同一方向に複数枚積み重ねると上下の樹脂製シート材の表裏の凹凸部分がそれぞれ遊嵌されてコンパクトに積み重ねられ、嵩張らない状態で輸送できる。
【００１４】
樹脂製シート材１１０ａのヒンジ１１１は半円筒材１１２の径方向の端部に長さ方向に縁に沿って一定幅に設けた縦長の扉１１６と、この扉１１６の縁に沿って設けたヒンジ部１１７と、このヒンジ部１１７の縁に沿って先端まで一定幅に延設された縦長の扉１１８とで構成されている。ヒンジ１１１の縦長の扉１１６，１１８のそれぞれには、縦長の扉１１６，１１８を接合したときに互いに重なり合う位置に貫通孔１１６ｂ，１１８ｂが長さ方向に所定間隔で複数（図では３つ）設けられている。
【００１５】
係合片１２１は、半円筒材１１２のヒンジ１１１と反対側の径方向の端部に長さ方向に縁に沿って一定幅に設けられ、半円筒材１１２の長さ方向に所定間隔で設けた複数のリブ１１２ａ，１１２ａ，・・と略同じ間隔に係合孔１２１ａが設けられ、また、係合片１２１において、係合孔１２１ａの近傍には貫通孔１２１ｂが長さ方向に所定間隔で複数設けられている。
【００１６】
係合片１２４は、半円筒材１１３のヒンジ１１１と反対側の径方向の端部に長さ方向に縁に沿って一定幅に設けた縦長の扉１２５と、この扉１２５の縁に沿って設けたヒンジ部１２６と、このヒンジ部１２６の縁に沿って先端まで一定幅に延設された縦長の扉１２７とで構成されている。係合片１２４の縦長の扉１２５，１２７のそれぞれには、半円筒材１１３の長さ方向に所定間隔で設けた複数のリブ１１３ａ，１１３ａ，・・と略同じ間隔に筒状に突出した楕円状の係合筒部１２５ａ，１２７ａが設けられ、また、係合片１２４の縦長の扉１２５，１２７のそれぞれにおいて、係合筒部１２５ａ，１２７ａの近傍には、縦長の扉１２５，１２７を接合したときに互いに重なり合う位置に貫通孔１２５ｂ，１２７ｂが長さ方向に所定間隔で複数設けられている。
【００１７】
次に、図２に示される展開状態の樹脂製シート材を組立てる場合について説明する。先ず、展開状態の樹脂製シート材を苗木Ｐの周囲を取り囲むように配置し、ヒンジ１１１で折り返す。そして縦長の扉１２５，１２７の間には縦長の扉の形状の係合片１２１を配置して係合片１２４のヒンジ部１２６で折り返し、縦長の扉１２５の係合筒部１２５ａを係合片１２１の係合孔１２１ａに挿通し、さらに係合筒部１２５ａの表側の凸部を縦長の扉１２７の係合筒部１２７ａの裏側の凹部に嵌合する。こうして、係合片１２４を折り返し、その間に係合片１２１を挟んで、係合片１２４と係合片１２１を２重に重ねて係合部の密閉度を高くして樹脂製シート材が苗木Ｐの周囲を取り囲んで略円筒状に接合して保護筒体１１０が設置される。本実施形態の保護筒体１１０では、直径が約１００ｍｍの円筒形で、長さ方向の長さは連結部２００ｍｍを含んで約８００ｍｍに構成してある。
【００１８】
保護筒体１１０の外側においては、地面に２つの支持用ポール１４１，１４２を立設し、複数の貫通孔１１６ｂ（１１８ｂ）のそれぞれに係止バンド１４１ａ（又はひも）を挿通してヒンジ１１１を支持用ポール１４１に固定し、また、複数の貫通孔１２７ｂ（１２１ｂ，１２５ｂ）のそれぞれに係止バンド１４２ａ（又はひも）を挿通して係合片１２４を支持用ポール１４２に固定してヒンジ１１１と係合片１２４のそれぞれを２つの支持用ポール１４１，１４２に固定することにより保護筒体１１０を直立状に支持する。
【００１９】
杉や檜などの苗木Ｐが成長して保護筒体１１０の上部へ食み出すようになった場合には、設置された保護筒体１１０の上部に展開状態の樹脂製シート材１１０ａを組立てて他の保護筒体１１０を形成し、設置された保護筒体１１０の挿入用の連結部１３０ａの上部に組立てた他の保護筒体１１０の受入用の連結部１３０ｂが外側に被さるように組立てる。
【００２０】
保護筒体１１０の両係合片１２１，１２４とヒンジ部１１７とは、長さ方向の一端から他端の近傍にまで設けられており、保護筒体１１０の長さ方向の一端に他の保護筒体１１０を嵌合して、各保護筒体１１０，１１０のそれぞれの係合筒部１３２ａ，１３２ｂ及び１３３ａ，１３３ｂ同志を嵌合し、断面が三角形の２辺形状で径方向に連続するフック１３２ｃ，１３３ｃ同志を嵌合して複数の保護筒体１１０，１１０，…を連結する。複数の保護筒体１１０，１１０，…が連結された状態で、連結部における両保護筒体１１０，１１０の係合片１２１，１２１（１２４，１２４）同志とヒンジ部１１７，１１７同志とがそれぞれ重ならないように形成されている。
【００２１】
また、このときに、他の保護筒体１１０を地面に立設した２つの支持用ポール１４１，１４２に固定しなくともよいが、地面に立設した２つの支持用ポール１４１，１４２の長さが連結した他の保護筒体１１０に届く範囲で、他の保護筒体１１０を２つの支持用ポール１４１，１４２に固定してもよい。また、地面に立設した２つの支持用ポール１４１，１４２をさらに長い他の支持用ポールに取り替えて、２つの支持用ポール１４１，１４２に保護筒体１１０を係止バンド１４１ａ，１４２ａ（又はひも）で固定したのと同様に、長い他の支持用ポールに係止バンド１４１ａ，１４２ａ（又はひも）で連結して２つの保護筒体１１０，１１０を他の支持用ポールに係止バンド１４１ａ，１４２ａで固定してもよい。
【００２２】
【発明の効果】
以上説明したように、本発明によれば、展開状態の樹脂製シート材を組立てて苗木の外側を囲むように保護筒体を形成するようにしたので、同一方向に複数枚積み重ねると上下の樹脂製シート材の表裏の凹凸部分がそれぞれ遊嵌されてコンパクトに積み重ねられ、嵩張らない状態で輸送できる。
【００２３】
そして、展開状態の樹脂製シート材を苗木の周囲を取り囲むように配置して組立てて保護筒体を形成しているので、苗木に真上から被せる必要はなく、葉や枝が引っ掛って苗木を傷めるようなことはなくなり、しかも、半円筒材はリブによって、また重合する係合片によって著しく強度が高いので、薄肉でも充分に強度を確保できるばかりでなく必要最低限のコストによって製作することができ、しかも鹿などの野生動物に食いちぎられたり破壊されることがなく、長期間経過しても確実に苗木を保護することができ、実用的価値の高いものとなる。
【図面の簡単な説明】
【図１】本発明に係る苗木用保護育成装置の一実施形態を示す斜視図である。
【図２】図１の保護筒体の展開状態を示す斜視図である。
【図３】（ａ）は図１の保護筒体を上から見た組立て状態を説明する図１の保護筒体の上面図である。
（ｂ）は（ａ）の保護筒体の係合前における係合部分の上面図である。
（ｃ）は（ａ）の保護筒体の係合後における係合部分の上面図である。
【図４】（ａ），（ｂ）はそれぞれ図１の保護筒体と支持用ポールの結合部の上面図である。
【図５】本発明に係る複数の保護筒体の連結部分を断面で示した正面図である。
【図６】従来例の保護育成装置を示す斜視図である。
【符号の説明】
１０  保護筒体
１１  樹脂パネル
２０  中間リング部材
２３  中間ポール挿通孔
３０  リング状キャップ部材
３２  ポール挿通リング部
３４  両端ポール挿通孔
３５  取付孔
４０  支持用ポール
５０  マット
５１  切欠
６０  カバー部材
６１  脚部
１１０  保護筒体
１１０ａ  樹脂製シート材
１１１  ヒンジ
１１２，１１３  半円筒材
１１２ａ，１１３ａ，１３２ｃ，１３２ｆ，１３３ｃ，１３３ｆ  リブ
１１６，１１８，１２５，１２７  縦長の扉
１１６ｂ，１１８ｂ，１２１ｂ  貫通孔
１１７，１２６  ヒンジ部
１２１，１２４  係合片
１２１ａ  係合孔
１２５ａ，１２７ａ，１３２ａ，１３２ｂ，１３３ａ，１３３ｂ係合筒部
１３０ａ  挿入用の連結部
１３０ｂ  受入用の連結部
１４１，１４２  支持用ポール
１４１ａ，１４２ａ  係止バンド
【図１】
0003961882.tif 000002
【図２】
0003961882.tif 000003
【図３】
0003961882.tif 000004
【図４】
0003961882.tif 000005
【図５】
0003961882.tif 000006
【図６】
0003961882.tif 000007